(57)【要約】      （修正有）【課題】目詰まりを起こさず本来の切削が持続でき、従来よりライフ、切削スピードが向上しコストダウン出来るようにする。【解決手段】切削粉の掃き出し角度をコア内部方向に付けることで、切削粉は、コア外部方向に掃きだしされる。切削粉を外部掃きだしすることで、目詰まりさせないことでダイヤモンドチップの切削性能が保たれ切削スピードが持続できコスト低減が出来る。【選択図】図８
0003130352.tif 000002
【実用新案登録請求の範囲】
【請求項１】
コンクリートの穴あけ作業を行なう機械（ダイヤモンドコアードリル）で、切削時に生じる粉（切削粉）をコア内部方向に掃き出し出来るように角度を付けたダイヤモンド切削チップ。
【考案の詳細な説明】
【技術分野】
【０００１】  本考案は、コンクリート切削工具に使用するダイヤモンドチップ形状に関する。
【背景技術】
【０００２】  従来のダイヤモンドチップ形状では、切削粉を逃がす角度が無い（図７）。
【考案の開示】
【考案が解消しようとする課題】
【０００３】  従来のダイヤモンドチップ形状では、切削粉を逃がす角度が無い為、ダイヤモンドチップが目詰まりを起こし、切削出来なくなってしまう。切削出来ないダイヤモンドチップは、摩擦熱が上がりチップが焼けて切削としての機能を失う。
【課題を解決するための手段】
【０００４】  そこで、ダイヤモンドチップに切削粉をコア内部方向に掃き出し角度（図８  Ａ）を付け切削粉の排出をしやすくする。
【考案の効果】
【０００５】  切削粉の排出が出来れば、ダイヤモンドチップは、目詰まりを起こさず本来の切削が持続でき、従来よりライフ、切削スピードが向上しコストダウン出来る。
【考案を実施するための最良の形態】
【０００６】  本考案に係るダイヤモンドチップ５は、図８に示すように、チップの前部の掃き出し角度Ａと後部の掃き出し角度Ｂを付ける。掃き出し角度ＡとＢを付けることでチップ全体のバランスが保たれる形状が望ましく、掃き出し角度が大きすぎるとチップ切削面積が減少しライフが短くなるので、掃き出し効率とライフを考慮すれば掃き出し角度は、４５度が最適。
【図面の簡単な説明】
【０００７】
【図１】  コンクリー穿孔機械（ダイヤモンドコアードリル）側面図
【図２】  切削における、ダイヤモンドコア断面図
【図３】  従来のダイヤモンドコア側面図
【図４】  従来のダイヤモンドチップ正面図
【図５】  本考案のダイヤモンドコア側面図
【図６】  本考案のダイヤモンドチップ正面図
【図７】  従来のダイヤモンドチップ形状の拡大図
【図８】  本考案のダイヤモンドチップ形状の拡大図
【符号の説明】
【０００８】１      ダイヤモンドコアードリル本体
２      ダイヤモンドコア
３      コンクリート
４      従来形状ダイヤモンドチップ
５      本考案形状ダイヤモンドチップ
６      切削粉と方向
Ａ      粉掃きだし角度
Ｂ      粉掃きだし角度
Ｃ      コア中心点
Ｄ      粉掃き出し角度
【図１】
0003130352.tif 000003
【図２】
0003130352.tif 000004
【図３】
0003130352.tif 000005
【図４】
0003130352.tif 000006
【図５】
0003130352.tif 000007
【図６】
0003130352.tif 000008
【図７】
0003130352.tif 000009
【図８】
0003130352.tif 000010
【手続補正書】
【提出日】平成18年3月1日(2006.3.1)
【手続補正１】
【補正対象書類名】明細書
【補正対象項目名】考案の名称
【補正方法】変更
【補正の内容】
【考案の名称】ダイヤモンドチップ  切削粉内部掃きだし形状
0003130352.tif 000011
【手続補正書】
【提出日】平成18年4月11日(2006.4.11)
【手続補正１】
【補正対象書類名】実用新案登録請求の範囲
【補正対象項目名】全文
【補正方法】変更
【補正の内容】
【実用新案登録請求の範囲】
【請求項１】
ダイヤモンドコアードリルで、コンクリートに穴をあける工法がある。ダイヤモンドコアードリルにダイヤモンドチップが付いたコアを取り付け、回転させ送っていく。ダイヤモンドチップは、コンクリー面に押し当てられ、回転しながら円筒状にコンクリートを切削していく。切削を続けるとコンクリートは、貫通され穴があく。切削水を使用しない場合、従来のダイヤモンドチップ形状では、切削時に発生するコンクリートの粉の掃きだしが容易に出来ない。ダイヤモンドチップは、コンクリートの粉で目詰まりを起こし切削出来なくなる。切削出来なくなったダイヤモンドチップは、回転によってコンクリートとの摩擦で高温となり焼けて使用できなくなる。本考案は、コンクリートの切削粉をコア内部方向に掃き出し出来るように角度を付けたダイヤモンドチップ形状。
【手続補正２】
【補正対象書類名】明細書
【補正対象項目名】０００７
【補正方法】変更
【補正の内容】
【０００７】
【図１】ダイヤモンドコアードリル側面図
【図２】切削における、コア断面図
【図３】従来のコア側面図
【図４】従来のダイヤモンドチップ正面図
【図５】本考案のダイヤモンドチップを取り付けたコア側面図
【図６】本考案のダイヤモンドチップ正面図
【図７】従来のダイヤモンドチップ形状の拡大図
【図８】本考案のダイヤモンドチップ形状の拡大図
【手続補正３】
【補正対象書類名】図面
【補正対象項目名】全図
【補正方法】変更
【補正の内容】
【図１】
0003130352.tif 000012
【図２】
0003130352.tif 000013
【図３】
0003130352.tif 000014
【図４】
0003130352.tif 000015
【図５】
0003130352.tif 000016
【図６】
0003130352.tif 000017
【図７】
0003130352.tif 000018
【図８】
0003130352.tif 000019
【手続補正書】
【提出日】平成18年6月19日(2006.6.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、ダイヤモンドコアの回転によってコンクリートの切削粉がコア内部方向に掃き出し出来るように角度Ａと角度Ｂを付けた形状を有するダイヤモンドチップ。
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、ダイヤモンドコアの回転方向に対してダイヤモンドチップの前部と後部にコンクリート切削粉掃き出し角度があります。前部角度は、前部ダイヤモンドチップの外径側先端を基点にコア中心とダイヤモンドチップの前部面との角度。後部角度は、後部ダイヤモンドチップの内径側先端を基点にコア中心とダイヤモンドチップの後部面との角度。ダイヤモンドコアの回転によってコンクリートの切削粉がコア内部方向に掃き出し出来るように角度を付けた形状を有するダイヤモンドチップ。
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
本考案は、ダイヤモンドコアの回転によってコンクリートの切削粉がコア内部方向に掃き出し出来るように、各ダイヤモンドチップの前部外側先端部を基点としてコア内部方向に掃き出し角度を付けた形状を有するダイヤモンドチップ。